(57)【要約】【課題】確実に、かつ容易にカラスを捕獲でき、セッティングを簡単に行うことができる捕獲装置を提供することを目的とする。【解決手段】角型の捕獲籠本体１と、捕獲籠本体１の隅部１８の少なくとも１箇所の下方位置に窓部２を設け、窓部２に着脱自在に取り込み袋３を外方突出状に付設している。そして、取り込み袋３の入口１９近傍に、締付部材７を付設し、かつ、長尺引張部材８を締付部材７と連繋して、離れた場所から引張部材８を引っ張って締付部材７にて入口１９近傍を閉じるように構成する。【選択図】  図１
2004290137.tif 000002
【特許請求の範囲】
【請求項１】
角型の捕獲籠本体（１）と、該捕獲籠本体（１）の隅部（１８）の少なくとも１箇所に窓部（２）を設け、
該窓部（２）に着脱自在に取り込み袋（３）を外方突出状に付設したことを特徴とするカラス捕獲装置。
【請求項２】
角型の捕獲籠本体（１）と、該捕獲籠本体（１）の隅部（１８）の少なくとも１箇所の下方位置に窓部（２）を設け、
該窓部（２）に着脱自在に取り込み袋（３）を外方突出状に付設したことを特徴とするカラス捕獲装置。
【請求項３】
取り込み袋（３）の入口（１９）近傍に、締付部材（７）を付設し、かつ、長尺引張部材（８）を上記締付部材（７）と連繋して、
離れた場所から上記引張部材（８）を引っ張って上記締付部材（７）にて上記入口（１９）近傍を閉じるように構成した請求項１又は２記載のカラス捕獲装置。
【請求項４】
捕獲籠本体（１）の上部に、カラスの飛来口（１０）を設け、該飛来口（１０）は、カラスを上記捕獲籠本体（１）から脱出させないための複数の脱出防止部材（１１）を備える請求項１，２又は３記載のカラス捕獲装置。
【発明の詳細な説明】
【０００１】
【発明の属する技術分野】
本発明は、カラス等の鳥類の捕獲装置に関する。
【０００２】
【従来の技術】
従来、捕獲用の網を圧縮空気と共に発射筒に収納し、カラス等の鳥類に向けて網を発射して捕獲する捕獲装置が知られている（例えば、特許文献１参照）。
【０００３】
【特許文献１】
特開２００２−３５５３２３公報
【０００４】
【発明が解決しようとする課題】
この捕獲装置は、カラス等の鳥類にある一定距離まで近づく必要があり、発射する前に気付かれて逃げられやすく、さらに、鳥類に向けて発射しても、鳥類は飛んでくる網から逃げてしまい、確実に捕獲できるものではない。また、一度発射した後セッティングする手間がかかってしまう。
【０００５】
そこで本発明の目的は、確実に、かつ容易にカラスを捕獲でき、セッティングを簡単に行うことができる捕獲装置を提供することにある。
【０００６】
【課題を解決するための手段】
上述の目的を達成するために、本発明に係るカラス捕獲装置は、角型の捕獲籠本体と、該捕獲籠本体の隅部の少なくとも１箇所に窓部を設け、該窓部に着脱自在に取り込み袋を外方突出状に付設している。
【０００７】
また、角型の捕獲籠本体と、該捕獲籠本体の隅部の少なくとも１箇所の下方位置に窓部を設け、該窓部に着脱自在に取り込み袋を外方突出状に付設している。
また、取り込み袋の入口近傍に、締付部材を付設し、かつ、長尺引張部材を上記締付部材と連繋して、離れた場所から上記引張部材を引っ張って上記締付部材にて上記入口近傍を閉じるように構成している。
さらに、捕獲籠本体の上部に、カラスの飛来口を設け、該飛来口は、カラスを上記捕獲籠本体から脱出させないための複数の脱出防止部材を備える。
【０００８】
【発明の実施の形態】
以下、実施の形態を示す図面に基づき、本発明を詳説する。
【０００９】
図１と図２と図４のように、本発明に係る捕獲装置は、角型の捕獲籠本体１と、捕獲籠本体１内に飛び入りしたカラスＫを捕獲するための取り込み袋３と、を有する。捕獲籠本体１は、鉄製パイプ，アルミパイプや木製棒材等により直方体の枠組を構成した本体枠体２０と、この本体枠体２０の周囲を覆うように配設される本体ネット２２と、捕獲籠本体１の上部の本体ネット２２に設けられるカラスの飛来口１０と、を有している。本体ネット２２は、本体枠体２０に、留め具２１…（または紐やロープや針金）にて複数箇所で留められる。そして、捕獲籠本体１の正面側は、本体ネット２２の一部が開いて捕獲者Ｍを出入り可能にする出入口９を有し、出入口９は、取付け取外し自在の複数の結合具１６…や、あるいはロープ，紐等により閉状態に保たれる。本体ネット２２は、強化ポリエステルや強化ポリプロピレン製のフレキシブルネットである。また、捕獲籠本体１の高さ寸法Ｈ１  を、例えば  １．７ｍ乃至  ２．３ｍ、奥行き寸法Ｄ１  を、  １．６ｍ乃至６ｍ、幅寸法Ｗ１  を、  １．５ｍ乃至３ｍに設定する。
【００１０】
捕獲籠本体１の背面側の隅部１８の少なくとも１箇所の下方位置には、本体ネット２２の一部が切り欠かれて窓部２が設けられる。図２では、背面側の本体ネット２２の左右両側の隅部１８，１８の下方位置に窓部２，２が備えられている。左側の窓部２に、カラスＫが捕獲籠本体１内へ入った後に、（図２では図示省略の）取り込み袋３を外方突出状に付設し、右側の窓部２には、結合具１６…、あるいはロープ，紐等により塞ぎ用ネット１５を取り付けて蓋をする。窓部２の縦幅寸法Ｈ２  及び横幅寸法Ｗ２  を３０ｃｍ乃至５０ｃｍに設定する。窓部２は、捕獲籠本体１の側面に設けられてもよい。即ち、少なくとも１箇所の窓部２が、側面の本体ネット２２の、（捕獲者Ｍの）出入口９から遠い位置の隅部１８の下方位置に設けられてもよい。捕獲籠本体１の設置場所の状況に対応して、取り込み袋３を、（図２とは）逆の側に付設してもよい。
【００１１】
図３に示すように、取り込み袋３は、長手方向の一端側が開いている袋ネット４と、袋ネット４が長手方向に中空室を形成するように保持する複数の長方形や略円形の枠部材２４…と、を備える。取り込み袋３の他端側に付設された枠部材２４は、隣り合う略鉛直状の枠部材２４と、下辺部にて折り畳み自在に連結され、略鉛直状態から水平状態へ矢印２７及びその逆方向に揺動可能である。（袋ネット４の）開いた一端側である入口１９に付設される枠部材２４は、捕獲籠本体１の窓部２と略同一形状であり、この枠部材２４を、窓部２に結合具１６…（図２参照），ロープ，紐等にて着脱自在に、取り込み袋３は、捕獲籠本体１の窓部２に外方突出状に付設される。また、袋ネット４の他端側に付設された枠部材２４が、矢印２７方向に倒されて、地面Ｇ上に載置され、取り込み袋３を長手方向に引っ張って袋形状を保持する。
【００１２】
取り込み袋３の入口１９近傍に、締付部材７を付設し、かつ、長尺引張部材８を（図３では点々で示される）締付部材７と連繋する。具体的には、一端７ａがリング形状の締付部材７は、取り込み袋３の入口１９の枠部材２４と隣り合う枠部材２４との間に付設される袋ネット４の周囲に巻かれて、締付部材７の他端７ｂがリング形状の一端７ａに通されている。そして、他端７ｂが長尺引張部材８と繋げられており、離れた場所から引張部材８を引っ張って締付部材７を縮径させて取り込み袋３を閉じるように構成する。長尺引張部材８は、図４のように、捕獲籠本体１の正面側まで延設される。
【００１３】
飛来口１０は、図５のように、周囲を本体ネット２２上部の切り欠き部周辺に付設する長方形の枠体１４と、枠体１４の内側に間隔Ｐを空けて水平かつ相互に平行に付設される複数の棒体１３…と、一定間隔を空けて棒体１３に固着される複数の吊下具１２…と、各吊下具１２の下部の孔に挿入して吊り下げられる略逆Ｖ字型棒状体の脱出防止部材１１と、を備える。図６は図５のＡ−Ａ断面矢視図で、吊下具１２と脱出防止部材１１を示す。各吊下具１２…は、隣り合う水平状棒体１３に付設される吊下具１２と交互になるように配設される。入口枠体１４の横幅寸法Ｄ１０を６０ｃｍ乃至  １００ｃｍ、縦幅寸法Ｗ１０を５０ｃｍ乃至  １００ｃｍに設定する。また、水平状棒体１３の間隔Ｐを１５ｃｍ乃至２５ｃｍに設定する。間隔Ｐが１５ｃｍよりも小さいと、カラスＫが飛び入るのが困難であり、間隔Ｐが２５ｃｍよりも大きいと、カラスＫが容易に脱出してしまう。なお、吊下具１２には、例えばＵ字状や円形リング状の線材を、棒体１３に溶接等で固着してもよい。
【００１４】
図７は本体ネット２２の拡大図であり、縦横の目寸法Ｎ２２を３０ｍｍ乃至４５ｍｍに設定する。Ｎ２２が３０ｍｍより小さいと、カラスＫが捕獲籠本体１の外部からエサＦを認識するのが困難となり、また、重量も増大し、かつ、嵩張ることになる。また、Ｎ２２が４５ｍｍより大きいと、カラスＫが首を突っ込んで取出しにくくなる。また、図８のように、袋ネット４の縦横の目寸法Ｎ４  を１０ｍｍ乃至１６ｍｍに設定する。Ｎ４  が１６ｍｍよりも大きいと、取り込み袋３内に捕獲したカラスＫのくちばしや脚の爪により捕獲者Ｍが被害を受けてしまい、Ｎ４  が１０ｍｍより小さいと、重量が増大し、コストもアップする。
【００１５】
図９に示される捕獲装置と、図１，図２，図４に示される捕獲装置との相違は、捕獲装置を六角柱形状にした点である。そして、捕獲籠本体１の側面の（６面あるうちの）ある一面の本体ネット２２には、捕獲者Ｍが出入り可能な出入口９を有し、（出入口９を有する正面側と内部で向かい合う）背面側の隅部１８の少なくとも１箇所の下方位置に、窓部２が設けられる。また、図１０に示される捕獲装置と、図１，図２，図４に示される捕獲装置との相違は、捕獲装置を三角柱形状にした点であり、正面側と向かい合う隅部１８に、窓部２が少なくとも１個設けられる。なお、図９，図１０のように、取り込み袋３の他端側は、取り込み袋３を長手方向に引っ張って袋形状を保持するためのおもり２６に連繋されるのもよい。図１１は、図１の捕獲装置の本体枠体２０と、カラスＫの飛来口１０の枠体１４の分解斜視図である。
【００１６】
上述のような捕獲装置の全ての窓部２…に塞ぎ用ネット１５…を付設し、カラスＫの多く出没する街のゴミ置き場や公園等の地面Ｇに設置して、捕獲者Ｍは、出入口９から内部へ入り、カラスＫの好物のエサＦを載置して、外部へ出た後で、出入口９を結合具１６で閉鎖する。そして、捕獲者Ｍは捕獲装置から離れる。すると、上空飛行中にエサＦを見つけたカラスＫが、図４のように、飛来口１０から矢印２３のように飛び入る。ここで、（図５及び図６に示すように）複数の脱出防止部材１１…は揺動可能で、平均的な大きさのカラスＫは、飛来口１０へ上方から飛び入ることはできるが、下方からは、脱出防止部材１１…の先端に触れるのを恐れて、捕獲籠本体１から脱出できない。
【００１７】
捕獲者Ｍは、カラスＫが捕獲籠本体１内に入ったのを確認してから、複数の窓部２…の内の１箇所の塞ぎ用ネット１５を取り外し、取り込み袋３を付設する。そして、正面側へ矢印２５のように近づくと、怯えたカラスＫは、矢印１７のように後方へと進んでいき、さらには、習性として捕獲者Ｍから最も遠ざかろうとするので、隅部１８に設けられた取り込み袋３へ入口１９から入る。
【００１８】
そして、捕獲者Ｍは、図３（ａ）のように、カラスＫが取り込み袋３へ入ったのを確認したら、離れた位置から引張部材８の一端を矢印６のように引っ張ると、図３（ｂ）のように締付部材７が縮径し、入口１９付近の袋ネット４が縮まって、カラスＫを取り込み袋３内に閉じ込めることができる。そして、捕獲者Ｍは、取り込み袋３を捕獲籠本体１の窓部２から取り外して、別の取り込み袋３を捕獲籠本体１の窓部２に付設して、新たな仕掛けを行う。そして、捕獲したカラスＫを、取り込み袋３と共に処理場等へ運ぶ。
【００１９】
上述のように、本発明の捕獲装置は、簡素な構造で、かつ設置場所の現地にて容易に組み立て可能でありながら、カラスＫを捕獲籠本体１内に容易に捕獲することができる。そして、捕獲籠本体１の隅部１８の下方位置に取り込み袋３を外方突出状に付設してあるので、捕獲者Ｍは、捕獲籠本体１に近づくだけで、カラスＫを狭い取り込み袋３内に追い込むことができる。従って、取り込み袋３が無ければ、捕獲籠本体１内に捕獲者Ｍが入って、棒を振り回したり、別途網にて捕まえる必要があり、その作業はカラスＫが騒いで、街中では不可能に近いが、本発明では比較的静かに、迅速に行うことができる。
【００２０】
さらに、引張部材８を引っ張れば、離れた場所から容易に、カラスＫを取り込み袋３内に閉じ込めることができる。このように、捕獲装置は簡素な構造でありながら、カラスＫを、容易に、かつ確実に捕獲できる。しかも、取り込み袋３を捕獲籠本体１から容易に取り外して新たな取り込み袋３を容易にセッティングできる。そして、捕獲籠本体１のカラスＫの飛来口１０は、簡素な構造でありながら、一度入ったカラスＫを脱出させることはない。
【００２１】
捕獲籠本体１は、図１１のように、容易に分解・組立でき、しかも、分解すればコンパクトになるので、設置場所を、トラック等に積んで楽に、かつ迅速に変えることができる。また、捕獲籠本体１は、本体ネット２２で覆われたものであるので、カラスＫが内部のエサＦを認識し易く、かつ捕獲者Ｍが内部に入ったカラスＫを認識し易く、さらに、風雨でも倒壊転倒する虞れがない。そして、取り込み袋３の袋ネット４の目寸法が細かいので、捕獲者Ｍは、取り込み袋３内のカラスＫに指を噛みちぎられる等の虞れが少なく、処分場へ運搬できる。
【００２２】
【発明の効果】
本発明は、上述の構成により次のような著大な効果を奏する。
【００２３】
（請求項１，２によれば、）捕獲装置は、簡素な構造で、かつ設置場所の現地にて容易に組み立て可能である。そして、カラスを捕獲籠本体１内に容易に捕獲することができる。捕獲籠本体１の隅部１８に取り込み袋３を外方突出状に付設してあるので、捕獲者は、捕獲籠本体１に近づくだけで、カラスを狭い取り込み袋３内に追い込むことができる。従って、取り込み袋３が無ければ、捕獲籠本体１内に捕獲者が入って、棒を振り回したり、別途網にて捕まえる必要があり、その作業はカラスが騒いで、街中では不可能に近いが、本発明では比較的静かに、迅速に行うことができる。さらに、捕獲装置は簡素な構造でありながら、カラスを、容易に、かつ確実に捕獲できる。しかも、取り込み袋３を捕獲籠本体１から容易に取り外して新たな取り込み袋３をセッティングできる。また、捕獲籠本体１は、容易に分解・組立でき、しかも、分解すればコンパクトになるので、トラック等に積んで運べば、設置場所を楽に、かつ迅速に変えることができる。
【００２４】
（請求項２によれば、）取り込み袋３が、捕獲籠本体１の隅部１８の下方位置に付設されるので、カラスはその習性で、逃げる際に取り込み袋３内へ逃げ込む癖があり、作業を迅速に行うことができる。
【００２５】
（請求項３によれば、）締付部材７及び引張部材８は簡素な構造でありながら、捕獲籠本体１に近づいて、引張部材８を引っ張るだけで、捕獲者は、カラスを取り込み袋３内に追い込んで閉じ込めることができる。
【００２６】
（請求項４によれば、）捕獲籠本体１のカラスの飛来口１０は、簡素な構造でありながら、一度入ったカラスを脱出させることはない。
【図面の簡単な説明】
【図１】本発明の実施の一形態を示す斜視図である。
【図２】捕獲籠本体の背面図である。
【図３】取り込み袋の斜視図である。
【図４】説明用の側面図である。
【図５】カラスの飛来口の拡大平面図である。
【図６】図５のＡ−Ａ断面図である。
【図７】本体ネットの拡大図である。
【図８】袋ネットの拡大図である。
【図９】本発明の他の実施の形態を示す斜視図である。
【図１０】本発明の別の実施の形態を示す斜視図である。
【図１１】図１の捕獲装置の本体枠体及び飛来口の枠体を示す分解斜視図である。
【符号の説明】
１  捕獲籠本体
２  窓部
３  取り込み袋
７    締付部材
８  引張部材
１０    飛来口
１１    脱出防止部材
１８    隅部
１９    入口
【図１】
2004290137.tif 000003
【図２】
2004290137.tif 000004
【図３】
2004290137.tif 000005
【図４】
2004290137.tif 000006
【図５】
2004290137.tif 000007
【図６】
2004290137.tif 000008
【図７】
2004290137.tif 000009
【図８】
2004290137.tif 000010
【図９】
2004290137.tif 000011
【図１０】
2004290137.tif 000012
【図１１】
2004290137.tif 000013